(57)【要約】【課題】  特定の識別情報をもつ紙葉類の取扱を行う際に利便性の高い紙葉類処理装置を提供する。【解決手段】  本発明は、紙葉類処理装置に関する。そして、本発明の紙葉類処理装置は、紙葉類を集積する複数の集積部を備える集積手段と、紙葉類の種類、及び、形成されている識別情報を認識する認識手段と、認識処理が行われた紙葉類を、その認識結果に応じた集積部に供給する手段と、１又は複数の識別情報を含む特定識別情報リストを保持する手段と、認識手段で特定識別情報リストに含まれる識別情報の紙葉類が認識された場合その旨の通報を発する手段とを有することを特徴とする。【選択図】      図１
2013218420.tif 000002
【特許請求の範囲】
【請求項１】
紙葉類を集積する複数の集積部を備える集積手段と、
紙葉類の種類、及び、形成されている識別情報を認識する認識手段と、
上記認識手段により認識処理が行われた紙葉類を、その認識結果に応じた集積部に供給する紙葉類供給手段と、
１又は複数の識別情報を含む特定識別情報リストを保持する特定識別情報リスト保持手段と、
上記認識手段で、特定識別情報リストに含まれる識別情報の紙葉類が認識された場合、その旨の通報を発する通報手段と
を有することを特徴とする紙葉類処理装置。
【請求項２】
上記通報手段は、上記認識手段で、特定識別情報リストに含まれる識別情報の紙葉類が認識された場合、その旨のメッセージを表示出力することを特徴とする請求項１に記載の紙葉類処理装置。
【請求項３】
上記認識手段で、特定識別情報リストに含まれる識別情報の紙葉類が認識された場合に、その紙葉類の識別情報を含む情報を記録する特定識別情報記録手段と、
上記特定識別情報記録手段に記録された情報の一部又は全部を出力する特定識別情報出力手段と
をさらに備えることを特徴とする請求項１又は２に記載の紙葉類処理装置。
【請求項４】
上記特定識別情報出力手段は、特定識別情報リストに含まれる識別情報の紙葉類のそれぞれについて、集積部内の位置の情報も出力することを特徴とする請求項３に記載の紙葉類処理装置。
【請求項５】
上記集積手段に、特定識別情報リストに含まれる識別情報の紙葉類が所定枚数集積された場合に、当該紙葉類処理装置の紙葉類の処理動作を停止する停止制御処理を行う処理停止制御手段をさらに備えることを特徴とする請求項１〜４のいずれかに記載の紙葉類処理装置。
【請求項６】
上記通報手段は、上記処理停止制御手段により、停止制御処理が行われる場合に、上記集積手段に集積された、特定識別情報リストに含まれる識別情報の紙葉類の情報を出力することを特徴とする請求項５に記載の紙葉類処理装置。
【請求項７】
上記紙葉類供給手段は、特定識別情報リストに含まれる識別情報の紙葉類について、設定に応じた集積部に供給し、
上記紙葉類供給手段が、特定識別情報リストに含まれる識別情報の紙葉類について、設定に応じた集積部とは異なる位置に搬送してしまった場合、その位置に関する情報について出力する位置情報出力手段をさらに備えること
を特徴とする請求項１〜６のいずれかに記載の紙葉類処理装置。
【請求項８】
紙葉類を集積する複数の集積部を備える集積手段と、投入された紙葉類の種類、及び、形成されている識別情報を認識する認識手段と、上記認識手段により認識処理が行われた紙葉類を、その認識結果に応じた集積部に供給する紙葉類供給手段とを備える紙葉類処理装置に搭載されたコンピュータを、
１又は複数の識別情報を含む特定識別情報リストを保持する特定識別情報リスト保持手段と、
上記認識手段で、特定識別情報リストに含まれる識別情報の紙葉類が認識された場合、その旨の通報を発する通報手段と
して機能させることを特徴とする紙葉類処理プログラム。
【発明の詳細な説明】
【技術分野】
【０００１】
本発明は紙葉類処理装置及びプログラムに関し、例えば、紙幣を金種別などに分類して計数し、計数した分類紙幣をそれぞれ一時集積部に集積し、一定枚数毎に結束して整理する紙幣結束整理装置に適用し得るものである。
【背景技術】
【０００２】
従来の、紙幣結束整理装置等の紙葉類処理装置としては、特許文献１の記載技術がある。
【０００３】
特許文献１の装置では、結束されていない紙幣を一定枚数（例えば、１００枚）集積可能な一時集積部を複数備えている。そして、特許文献１の装置では、オペレータにより紙幣がセットされると、その紙幣を鑑別部に搬送して金種等の鑑別及び計数を行い、金種ごとに指定された一時集積部に集積する。そして、特許文献１の装置では、一時集積部に紙幣が一定枚数集積されると、その紙幣を移送手段により施封部（紙幣結束機構）に移送し、この施封部により紙幣をテープで結束（施封）して紙幣束として放出する。
【先行技術文献】
【特許文献】
【０００４】
【特許文献１】特開２００９−９３３８号公報
【発明の概要】
【発明が解決しようとする課題】
【０００５】
紙幣結束整理装置は、例えば、金融機関や、警備会社（ＡＴＭ等の金庫から現金を輸送する警送サービスを行う会社）等、一旦流通した紙幣を回収して計数する場所で利用されることが多い。したがって、一旦流通した紙幣を回収する際には、精巧な偽券や盗難された紙幣等、不正に流通している紙幣が混ざっている場合があり得る。このような、不正に流通している紙幣については、金融機関等で、記番号（紙幣に印字された番号）がある程度特定されており（以下、この特定されている番号を「特定記番号」と呼ぶ）、特定記番号の紙幣については他の紙幣とは区別して取り扱う必要がある。
【０００６】
そのため、特定の識別情報（例えば、記番号）をもつ紙葉類の処理を行う際に利便性の高い紙葉類処理装置及びプログラムが望まれている。
【課題を解決するための手段】
【０００７】
第１の本発明の紙葉類処理装置は、（１）紙葉類を集積する複数の集積部を備える集積手段と、（２）紙葉類の種類、及び、形成されている識別情報を認識する認識手段と、（３）上記認識手段により認識処理が行われた紙葉類を、その認識結果に応じた集積部に供給する紙葉類供給手段と、（４）１又は複数の識別情報を含む特定識別情報リストを保持する特定識別情報リスト保持手段と、（５）上記認識手段で、特定識別情報リストに含まれる識別情報の紙葉類が認識された場合、その旨の通報を発する通報手段とを有することを特徴とする。
【０００８】
第２の本発明の紙葉類処理プログラムは、（１）紙葉類を集積する複数の集積部を備える集積手段と、投入された紙葉類の種類、及び、形成されている識別情報を認識する認識手段と、上記認識手段により認識処理が行われた紙葉類を、その認識結果に応じた集積部に供給する紙葉類供給手段とを備える紙葉類処理装置に搭載されたコンピュータを、（１）１又は複数の識別情報を含む特定識別情報リストを保持する特定識別情報リスト保持手段と、（２）上記認識手段で、特定識別情報リストに含まれる識別情報の紙葉類が認識された場合、その旨の通報を発する通報手段として機能させることを特徴とする。
【発明の効果】
【０００９】
本発明によれば、特定の識別情報をもつ紙葉類の取扱を行う際に利便性の高い紙葉類処理装置を提供することができる。
【図面の簡単な説明】
【００１０】
【図１】第１の実施形態の紙幣結束整理装置の制御系の構成を示すブロック図である。
【図２】第１の実施形態の紙幣結束整理装置の内部構造を示す概略側面図（一方の側板を取り外して見た概略側面図）である。
【図３】図１における上部構造を拡大して示す拡大側面図である。
【図４】第１の実施形態の紙幣結束整理装置の外観を示す斜視図である。
【図５】第１の実施形態の紙幣結束整理装置における操作部を拡大して示す平面図である。
【図６】第１の実施形態の紙幣結束整理装置における集積機構の詳細を示す側面図である。
【図７】第１の実施形態の紙幣結束整理装置における紙幣結束機構の詳細を示す側面図である。
【図８】第１の実施形態の紙幣結束整理装置で記憶される設定情報の内容例について示した説明図である。
【図９】第１の実施形態の紙幣結束整理装置で記憶される登録特定記番号情報の内容例について示した説明図である。
【図１０】第１の実施形態の紙幣結束整理装置で記憶される検出特定記番号情報の内容例について示した説明図である。
【図１１】第１の実施形態の紙幣結束整理装置（制御部）が設定情報及び検出特定記番号情報の入力を受ける場合の動作について示したフローチャートである。
【図１２】第１の実施形態の紙幣結束整理装置で表示される設定情報入力画面の内容例について示した説明図である。
【図１３】第１の実施形態の紙幣結束整理装置で表示される券種選択画面の内容例について示した説明図である。
【図１４】第１の実施形態の紙幣結束整理装置で表示される特定記番号入力画面の内容例について示した説明図である。
【図１５】第１の実施形態の紙幣結束整理装置（制御部）が計数及び結束処理を行う場合の動作について示したフローチャートである。
【図１６】第１の実施形態の紙幣結束整理装置で表示される計数中表示画面の例について示した説明図（その１）である。
【図１７】第１の実施形態の紙幣結束整理装置で表示される計数中表示画面の例について示した説明図（その２）である。
【図１８】第１の実施形態の紙幣結束整理装置で表示される記番号一覧表示画面の例について示した説明図である。
【図１９】第２の実施形態の紙幣結束整理装置で表示される計数中表示画面の例について示した説明図である。
【図２０】第３の実施形態の紙幣結束整理装置で記憶される登録特定記番号情報の内容例について示した説明図である。
【図２１】第３の実施形態の紙幣結束整理装置で記憶される設定情報の内容について示した説明図である。
【図２２】第３の実施形態の紙幣結束整理装置で表示される券種選択画面の内容例について示した説明図である。
【図２３】第３の実施形態の紙幣結束整理装置で、表示する計数中表示画面の例について示した説明図である。
【図２４】第１の実施形態の変形例で紙幣結束整理装置が表示する画面の例について示した説明図である。
【００１１】
（Ａ）第１の実施形態
以下、本発明による紙葉類処理装置及びプログラムを、紙幣結束整理装置に適用した第１の実施形態を、図面を参照しながら説明する。
【００１２】
（Ａ−１）第１の実施形態の構成
図２は、実施形態に係る紙幣結束整理装置の内部構造を示す概略側面図（一方の側板を取り外して見た側面図）である。
【００１３】
図３は、図２における上部構造を拡大して示す拡大側面図である。図４は、第１の実施形態の紙幣結束整理装置の外観を示す斜視図である。図５は、図４における操作部７を拡大して示す平面図である。図２〜図５だけでなく後述する各図を含め、同一、対応部分には、同一、対応符号を付して示している。
【００１４】
第１の実施形態に係る紙幣結束整理装置１００の正面上部には、紙幣の投入部１が設けられている。「認識手段」としての鑑別部２は、装置内に設けられており、投入部１から投入された紙幣の真偽（真券、偽券）、金種、正損（正券、損券）、表裏等の鑑別や計数を行うと共に、搬送異常の検出を行うものである。鑑別された紙幣を搬送する搬送路３の詳細については、後述する。
【００１５】
表裏反転部４は、鑑別部２の後段に位置するように設けられており、後述する制御部５０の制御下で、紙幣の表裏反転を行うものである。
【００１６】
２つのオープンポケット５ａ、５ｂは、装置の上面に設けられており、後述する制御部５０の制御下で、紙幣（例えば、結束対象外の券種の紙幣）がこのオープンポケット５ａ、５ｂへ排出される。オープンポケット５ａ、５ｂに集積された紙幣は、オペレータが直接アクセスできるものとなっている。
【００１７】
リジェクトポケット８は、基本的に、鑑別部２でリジェクト紙幣と鑑別された紙幣を集積することに用いられるものである。第１の実施形態の場合、後述する制御部５０の制御下で、リジェクト紙幣のうち、上述したオープンポケット５ａ、５ｂや一時集積部６１への排出対象外のリジェクト紙幣がリジェクトポケット８に排出される。リジェクトポケット８は、例えば、投入部１の上方に設けられており、このリジェクトポケット８に集積された紙幣にオペレータが直接アクセスできるものとなっている。なお、リジェクトポケット８は、リジェクト紙幣以外の紙幣を集積することに用いるようにしてもよいことは当然である。
【００１８】
リジェクトポケット８に排出可能な上限数は、あらかじめ設定された設定枚数（例えば、１９０枚）に定められている。これは、リジェクトポケット８から排出されたリジェクト紙幣が所定枚数を超えると、リジェクトポケット８から紙幣がこぼれて装置外に落ちる恐れがあるためである。例えば、リジェクトポケット８に集積された紙幣が設定枚数に達したときには、制御部５０は紙幣の投入を一時停止させ、リジェクトポケット８から紙幣の除去をオペレータに求めるメッセージを表示させるようにしてもよい。
【００１９】
操作部７は、投入部１の一側（図示のものは右側）に設けられている。この操作部７には、紙幣の計数を指示する計数開始ボタン７ａ、計数及び結束処理の完了を指示する完了ボタン７ｂ、装置の障害復旧時に装置を再稼働させるためのリセットボタン７ｃなどが設けられている。
【００２０】
操作表示部１３は、装置上面においてオープンポケット５ａの後方に位置するように設けられている。操作表示部１３は、液晶ディスプレイとその表面に配置されたタッチパネルによって構成されている。オペレータは、この操作表示部１３を操作して、モードの指定や、後述する一時集積部６１に集積する紙幣の金種等を設定できるようになされている。また、この操作表示部１３には、後述する制御部５０の制御下で、鑑別部２で鑑別された紙幣の金種、計数結果等が表示される。
【００２１】
第１の実施形態の場合、「集積手段」としての集積機構６には、上下方向に１列に５つの一時集積部６１（６１ａ〜６１ｅ）が並べられて装置内に設けられている。各一時集積部６１ａ〜６１ｅにはそれぞれ、後述する制御部５０の制御下で、予め定められた枚数（例えば１００枚）を上限とした指定種類の紙幣が集積できるようになっている。なお、一時集積部の数は５つに限定されるものではない。
【００２２】
移送機構９は、一時集積部６１ａ〜６１ｅの集積紙幣を紙幣結束機構１０に移送するものであり、紙幣結束機構１０は、移送されてきた集積紙幣を紙テープ等の結束材により束ねるものであり、両者とも装置内に設けられている。移送機構９及び紙幣結束機構１０の詳細については後述する。放出口１１は、紙幣結束機構１０の結束により形成された紙幣束を放出させる開口である。放出口１１の上部の装置正面に設けられた扉１２は、開けることで、オペレータが集積機構６にアクセスできるものとなっている。
【００２３】
次に、搬送路３について詳述する。搬送路３は、ローラや搬送ベルトや通過を検知するセンサ、駆動モータ等からなっているが、以下では、紙幣の経路という面から搬送路３を説明する。搬送路３は、図３に示すように、大きくは５つの部分（以下、部分に対しても搬送路と呼ぶこととする）３ａ〜３ｅに分かれている。
【００２４】
搬送路３ａは、投入部１から鑑別部２を経て分岐点Ａに至る部分である。従って、投入された全ての紙幣が、搬送路３ａ上を搬送される。
【００２５】
搬送路３ｂは、分岐点Ａからリジェクトポケット８に至る部分である。従って、鑑別結果が、リジェクトポケット８に集積させるリジェクト紙幣が、搬送路３ｂ上を搬送される。
【００２６】
搬送路３ｃは、分岐点Ａから分岐点Ｂに至る部分であり、その途中に表裏反転部４が設けられており、搬送路３ｃは、表裏反転部４を通過しないように紙幣を搬送することもできる。表裏反転部４は溝状のものであり、搬送されてきた紙片は、表裏反転部４に一端から挿入され、他端から引き出されることを通じて表裏が反転される。投入された紙幣のうち、リジェクトポケット８に向かった紙幣以外の紙幣が、搬送路３ｃ上を搬送される。搬送路３ｃ上に導入された紙幣のうち、表裏反転が必要と鑑別されたものは、表裏反転部４を経由する。
【００２７】
搬送路３ｄは、分岐点Ｂから、最下段の一時集積部６１ｅに至る部分である（図２参照）。鑑別部２によって、集積、結束対象と鑑別された紙幣が、搬送路３ｄ上を搬送され、その紙幣が集積されるべき一時集積部６１ａ〜６１ｅに挿入される。
【００２８】
以上のように、紙幣結束整理装置１００では、搬送路３及び鑑別部２等により、オペレータから投入された紙幣を、集積機構６（一時集積部６１ａ〜６１ｅ）に供給する「紙葉類供給手段」が形成されている。
【００２９】
搬送路３ｅは、分岐点Ｂから分岐点Ｃに至る部分である。そして、搬送路３ｆは、分岐点Ｃからオープンポケット５ａに至る部分である。また、搬送路ｇは、分岐点Ｃからオープンポケット５ｂに至る部分である。
【００３０】
なお、搬送路３上の分岐点Ａ、Ｂ、Ｃのそれぞれの近傍には、紙幣の搬送方向を切替える図示しない切替えブレードが設けられ、後述する制御部５０の制御下で切り替えられる。
【００３１】
図６は、集積機構６の構成を図２より詳細に示す側面図である。集積機構６には、上述のように、５つの一時集積部６１ａ〜６１ｅが上下方向に並べて配置されている。これらの一時集積部６１ａ〜６１ｅは、同一の構造を有しているので、以下では、一時集積部６１ａを例にとって詳細を説明する。
【００３２】
搬送路３ｄにより搬送されてきた紙幣は、一時集積部６１ａの振り分けゲート２７により集積板２１に向かって取り込まれ、これにより一時集積部６１ａに進入した紙幣は羽根車２０により後部が叩かれて集積板２１の上に集積されるようになされている。以降進入してくる紙幣に関しても、同様の動作で集積板２１上に集積した紙幣の上に集積される。
【００３３】
一時集積部６１ａに進入した紙幣は、一時集積部６１ａの一側（例えば、図６紙面法線方向の手前側）に設けられた図示しない長手整位手段により、紙幣の長手方向の位置が揃えられ、更に一時集積部６１ａの後端側に設けられた図示しない短手整位手段により短手方向の位置が揃えられる。上述の長手整位機構は、紙幣を反対側に設置された基準面に押しつけることで整位するものとなっている。また、上述の短手整位機構は、集積された紙幣を進入口側に付勢することにより整位するものとなっている。
【００３４】
集積板２１上に紙幣が集積して行き、その集積数（後述するカウンタ５１ａ〜５１ｅの値）が設定枚数を越えると、集積板２１は自動的に下降して一時集積部６１ａの空間を広げ、この動作により皺や折り目等に起因する紙幣の状態によって集積高さが違っても安定して集積が行えるようになっている。集積板２１の上方には押さえ板２４が対向するように設けられ、この押さえ板２４は集積板２１上への紙幣の集積中は一時集積部６１ａの上端に待機しており、順次取り込まれる紙幣の進入の邪魔にならないようになっている。
【００３５】
一時集積部６１ａの集積板２１上に設定枚数の紙幣が集積されると、ゲート振り分け機構２７を紙幣を取り込まない姿勢に動作させ、所定枚数目以降の紙幣は、例えば、他の一時集積部６１ｂ〜６１ｅのいずれかへ集積するように制御される。
【００３６】
紙幣の進入が停止した一時集積部６１ａでは集積板２１を上昇させ、押さえ板２４を下降させることにより紙幣を挟持する。この動作により皺等の紙幣の状態によって集積高さの異なる紙幣の厚みを一定にし、移送機構９への受渡しを容易にするようになっている。集積板２１と押さえ板２４により挟持された紙幣は、移送機構９の紙幣クランプ部３０（図２参照）が短手整位機構２３側から一時集積部６１ａに進入して引き抜かれるようになっている。
【００３７】
「束搬送手段」としての移送機構９は、図２に示すように、紙幣クランプ部３０、クランプ部移動機構３１、上下動機構３２を備えている。移送機構９の構成を、動きを通して明らかにする。
【００３８】
一時集積部６１ａに集積された紙幣を引き抜く場合を例に、移送機構９の一連の動きを説明する。上下動機構３２により紙幣クランプ部３０をクランプ部移動機構３１と共に、一時集積部６１ａに係るポジションセンサの位置まで上昇させ、ポジションセンサがクランプ部移動機構３１を検知した位置で上昇を停止させると同時に、図示しない係止手段によりクランプ部移動機構３１を係止し、クランプ部移動機構３１を一時集積部６１ａと対応する位置に固定する。この状態でクランプ移動機構３１により紙幣クランプ部３０のクランプ爪３３ａ、３３ｂを上下方向に開いて集積紙幣をクランプする準備を行い、更にクランプ移動機構３１により紙幣クランプ部３０を一時集積部６１ａの方向に押し出す。押し出された紙幣クランプ機構３０のクランプ爪３３ａ、３３ｂは、一時集積部６１ａの短手整位機構２３側に設けられている開口部に挿入され、集積板２１と押さえ板２４により挟持されている紙幣を上下から挟みつけて把持する。次に、集積板２１と押さえ板２４を開くことで、両者による紙幣の挟持を解除すると、これにより１００枚の紙幣が紙幣クランプ部３０に渡されたことになるので、クランプ爪３３ａ、３３ｂで紙幣を把持した紙幣クランプ部３０をクランプ部移動機構３１により引き戻す。紙幣クランプ部３０が元の位置まで引き戻されると、クランプ部移動機構３１の係止が解除され、紙幣を把持した紙幣クランプ部３０と共にクランプ移動機構３１が上下動機構３２により移動経路の最下端に位置する紙幣結束機構１０まで移動し、紙幣クランプ部３０のクランプ爪３３ａ、３３ｂに把持された紙幣が紙幣結束機構１０に引き渡される。
【００３９】
紙幣結束機構１０は、図７の側面図に示すように、ローラ及びベルト等からなる搬送手段４０と、紙テープ等の結束用テープ４１と、印刷手段４２と、テープ４１を供給する供給手段４３と、テープ４１を所定の長さに切断するカッタ４４と、図示しない結束手段を有し、以下のように紙幣を結束する。
【００４０】
搬送手段４０が移送機構９の紙幣クランプ部３０から結束対象の紙幣を一括して受け取り、結束位置に搬送する。テープ供給手段４３は、テープ４１を結束手段に供給し、その際、印刷手段４２は、制御部５０の制御下で、テープ４１に結束する紙幣に係る情報等を印刷する。印刷されたテープ４１は、所定の長さにカッタ４４で切断され、この切断されたテープを結束手段が結束位置に搬送された紙幣に巻き掛けて結束することにより紙幣束を作る。このようにして作られた紙幣束は、更に搬送手段４０により搬送され、放出口１１に送られる。
【００４１】
投入部１にセットされた紙幣が全て投入され、最後の紙幣に対する処理（計数、集積）が終了したときに、一時集積部６１ａ〜６１ｅに結束されていない紙幣が残っていることが多い。このような残った端数の枚数については、上述した扉１２を開けることにより、オペレータが取り出し可能となっている。
【００４２】
次に、第１の実施形態に係る紙幣結束整理装置１００の制御系の構成について図１を用いて説明する。
【００４３】
図１において、制御部５０は、当該紙幣結束整理装置１００全体の動作制御を行うものである。制御部５０には、Ｉ／Ｏインタフェース回路５１を介して、投入部１の構成要素（モータ、ソレノイドなどの駆動要素や、センサ要素など；図１では「構成要素」の用語を省略している；以下の説明においても「構成要素」の用語を省略する）、鑑別部２、搬送路３、表裏反転部４、集積機構６、操作部７、移送機構９、紙幣結束機構１０、操作表示部１３、カウンタ５１ａ〜５１ｅなどが接続されている。
【００４４】
カウンタ５１ａ〜５１ｅはそれぞれ、一時集積部６１ａ〜６１ｅに１対１で対応しており、例えば、対応する一時集積部６１ａ〜６１ｅの所定位置に設けられているセンサが進入紙幣を検知する毎にカウントアップするものである。ここでは、カウンタ５１ａ〜５１ｅとしてハードウェアのカウンタを適用しているが、制御部５０がメモリ部５１を利用するソフトウェア的なカウンタを適用しても良い。
【００４５】
次に、制御部５０の内部構成について説明する。
【００４６】
制御部５０は、図１に示すように、制御処理等に必要な各種情報を記憶するための記憶部５２有している。制御部５０は、例えば、プロセッサとメモリを有するコンピュータ（例えば、マイクロコンピュータ）に、実施形態の紙葉類処理プログラムをインストールすることにより構築することができ、その場合でも機能的には図１のように示すことができる。
【００４７】
図１に示すように、記憶部５２は、少なくとも設定情報５２１、登録特定記番号情報５２２、及び検出記番号情報５２３を記憶している。
【００４８】
まず、設定情報５２１の内容について図８を用いて説明する。
【００４９】
図８に示すように、設定情報５２１は、紙幣の種類（金種及び券種の組みあせ）ごとの集積先（一時集積部６１ａ〜６１ｅ、オープンポケット５ａ、５ｂのいずれか）を示す情報である。図８に示すように、設定情報５２１では、紙幣の種類は、金種及び券種の組み合わせに応じて決定している。
【００５０】
図８において、金種とは、紙幣の額面に応じて決まるものとしている。なお、第１の実施形態では、紙幣結束整理装置１００は、中華人民共和国（人民元）の６金種の紙幣（１００元紙幣、５０元紙幣、２０元紙幣、１０元紙幣、５元紙幣、１元紙幣）について処理が可能であるものとする。また、図８において、券種とは、紙幣の属性を示すものとする。具体的には、紙幣の券種は、紙幣の真偽、紙幣の傷みの度合い、特定記番号券であるか否か等の項目に基づいて定められるものとする。第１の実施形態の鑑別部２では、紙幣の傷みの度合いに応じて、ＡＴＭ券、流通券、損券の３段階にランク分けされるものとする。ＡＴＭ券は、官封券の状態から使用頻度が少ない状態の紙幣であるものとする。また、流通券は、ＡＴＭに用いるには適さないが紙幣発行銀行に返却するほどは傷んでいない状態の紙幣であるものとする。さらにまた、損券は、紙幣の傷みが激しく紙幣発行銀行に返却することが好ましい状態の紙幣であるものとする。
【００５１】
そして、第１の実施形態の設定情報５２１では、券種の項目に設定する内容としては、「無し」（紙幣の券種を限定しない）、「ＡＴＭ券」、「流通券」、「損券」、「ＡＴＭ＋流通」（ＡＴＭ券及び流通権）、「流通＋損」（流通権及び損券）、「真偽ＲＪ」（偽券としてリジェクトすべき紙幣）、「特定記番号」（記番号が特定記番号の紙幣）のいずれかが設定されるものとして説明する。なお、設定情報５２１の券種の項目に設定する情報の種類、数、条件の組み合わせについては上述の例に限定されないものである。ただし、第１の実施形態の制御部５０は、ＡＴＭ券、流通券、損券のいずれかに該当するものとして認識される紙幣でも、特定記番号券に該当する場合には、当該紙幣の券種は、「特定記番号」として取り扱うものとする。また、第１の実施形態の制御部５０は、特定記番号が形成された紙幣であっても、真偽ＲＪ券に該当する場合には、当該紙幣の券種は「真偽ＲＪ券」として取り扱うものとする。
【００５２】
図８に示すように、設定情報５２１では、各集積先は、集積先ごとに付与されたＩＤ（以下、「集積先ＩＤ」と呼ぶ）により表されている。集積先ＩＤは、一時集積部６１ａ〜６１ｅ、オープンポケット５ａ、５ｂに対して１〜７のＩＤが付与されている。例えば、一時集積部６１ａの集積先ＩＤは１、オープンポケット５ａの集積先ＩＤは６、オープンポケット５ｂの集積先ＩＤは７となる。そして、制御部５０は、鑑別部２により鑑別された紙幣について、設定情報５２１に応じた集積先へ集積されるように、搬送路３等を制御する。
【００５３】
第１の実施形態においては、例として、設定情報５２１に、図８に示す内容が設定されているものとする。図８に示す設定情報５２１では、金種が１００元紙幣で券種が「ＡＴＭ＋流通」の紙幣の集積先が一時集積部６１ｅ（集積先ＩＤ：５）、金種が１００元紙幣で券種が「特定記番号」の紙幣の集積先がオープンポケット５a（集積先ＩＤ：６）、券種が「真偽ＲＪ」の紙幣の集積先がオープンポケット５b（集積先ＩＤ：７）にそれぞれ設定されている。
【００５４】
次に、登録特定記番号情報５２２の内容について図９を用いて説明する。
【００５５】
図９に示すように、登録特定記番号情報５２２は、特定記番号券として検出する対象となる記番号を登録している情報である。したがって、制御部５０（記憶部２１）は、特定記番号券（特定の識別情報）のリストである特定記番号リスト（特定識別情報リスト）を保持する特定識別情報リスト保持手段として機能している。
【００５６】
登録特定記番号情報５２２は、金種ごとに設定される情報であるが、金種ごとに設定される情報の形式は同様であるので、ここでは、図９を用いて１００元紙幣を例として説明する。すなわち、登録特定記番号情報５２２としては、図９に示すような情報が金種ごとに設定されることになる。登録特定記番号情報５２２は、オペレータの操作に応じて設定されるものである。第１の実施形態においては、例として、登録特定記番号情報５２２（１００元紙幣に関する情報）に、図９に示す３つの記番号（AH00000001、AH00000002、AH00000003）が登録されているものとする。なお、登録特定記番号情報５２２に特定記番号を設定する際の記述形式は限定されないものであり、例えば、範囲指定を用いた記述形式（例えば、「AH00000001-AH00000003」のような記述形式）や、ワイルドカードを用いた記述形式（例えば、「AH0000000?」のような記述形式）を用いることが可能な構成としてもよい。
【００５７】
なお、この登録特定記番号情報５２２の内容は、制御部５０により、鑑別部２の記憶部２１（鑑別用特定記番号情報２１１）にコピーされる。鑑別部２では、この鑑別用特定記番号情報２１１にしたがって、特定記番号券を検出する。
【００５８】
次に、検出記番号情報５２３の内容について図１０を用いて説明する。
【００５９】
図１０に示すように、検出記番号情報５２３は、当該紙幣結束整理装置１００で検出された特定記番号券に関する情報（履歴情報）である。検出記番号情報５２３を構成する項目については限定されないものであるが、例えば、図１０では、検出された特定記番号券ごとに、検出日時、作業者名、作業者ＩＤ、金種、券種、版数（当該紙幣の版数）、記番号、集積先ＩＤ（当該紙幣の集積先）の情報が記録されている。なお、図１０に示す検出記番号情報５２３の項目は例示でありこれに限定されないものである。
【００６０】
図１０に示す作業者名、作業者ＩＤの項目は、オペレータを識別するための情報である。例えば、紙幣結束整理装置１００を使用させる際に、制御部５０が、認証情報（例えば、作業者ＩＤ及びパスワード）をオペレータに入力させて認証処理（操作表示部１３に認証処理画面を表示して行う認証処理）を行い、その認証処理に用いられた認証情報を、検出記番号情報５２３に反映するようにしてもよい。
【００６１】
（Ａ−２）実施形態の動作
次に、以上のような構成を有する第１の実施形態の紙幣結束整理装置１００の動作について説明する。
【００６２】
（Ａ−２−１）設定情報の入力処理
図１１は、オペレータから設定情報５２１及び登録特定記番号情報５２２の内容を受け付ける際に、制御部５０が行う処理について示したフローチャートである。
【００６３】
まず、オペレータの操作表示部１３に対する操作（例えば、メニュー画面等の操作）に応じて、制御部５０が、オペレータから設定情報５２１及び登録特定記番号情報５２２の内容を受けるための設定情報入力画面（図１２参照）を操作表示部１３に表示したものとする（Ｓ１０１）。
【００６４】
次に、オペレータから、情報入力を受け付ける対象となる集積先が選択されたものとする（Ｓ１０２）。具体的には、図１２に示す設定情報入力画面では、オープンポケット５ａを選択するためのボタンＢ１１、オープンポケット５ｂを選択するためのボタンＢ１２、一時集積部６１ａ〜６１ｅのいずれかを選択するためのボタンＢ１３が配置されており、いずれかのボタンの押下により、集積先が選択される構成となっている。ここでは、オペレータにより、オープンポケット５ａを選択するためのボタンＢ１１が押下されたものとして以降の説明を行う。
【００６５】
そして、集積先（オープンポケット５ａ）が選択されると、制御部５０は、設定情報入力画面において、金種を指定するためのボタンＢ１４と、券種を指定するためのボタンＢ１５の操作を受け付ける。ここでは、図１２に示すように、オープンポケット５ａ（ＯＰ１）に対応する金種については、すでに１００元紙幣を示す「百」が設定されているものとする。そして、ここでは、オペレータにより、券種を指定するためのボタンＢ１５が押下されたものとする（Ｓ１０３）。
【００６６】
図１２に示す設定情報入力画面で、券種を指定するためのボタンＢ１５が押下されると、制御部５０は、オペレータに券種を選択させるための券種選択画面（図１３参照）をポップアップ表示する（Ｓ１０４）。
【００６７】
図１３に示す券種選択画面では、各券種に対応するボタンＢ２０１〜Ｂ２０８が配置されている。ここでは、オペレータにより、特定記番号を指定するためのボタンＢ２０８が押下された後、確認ボタンＢ２０９が押下されたものとする（Ｓ１０５）。図１３に示す券種選択画面で特定記番号が指定されると、制御部５０は、特定記番号の追加登録を受け付けるための特定記番号登録画面（図１４参照）をポップアップ表示する（Ｓ１０６）。
【００６８】
図１４に示す特定記番号登録画面には、追加登録する特定記番号の入力を受け付けるためのフィールドＦ１１と、フィールドＦ１１に入力された記番号を登録特定記番号情報５２２に追加するためのボタンＢ３１と、登録特定記番号情報５２２に現在登録されている特定記番号を表示するためのフィールドＦ１２と、前の画面（設定情報入力画面）に戻るためのボタンＢ３２とが配置されている。
【００６９】
制御部５０は、オペレータによりフィールドＦ１１に特定記番号が入力され、追加ボタンＢ３１が押下されると、登録特定記番号情報５２２にその記番号を追加登録し、フィールドＦ１２の表示内容を最新の内容に更新する（Ｓ１０７、Ｓ１０８）。
【００７０】
以上のような処理により、紙幣結束整理装置１００では、設定情報５２１及び登録特定記番号情報５２２の内容の登録を受け付け、その内容は上述の図８、図９のような内容となったものとする。
【００７１】
なお、第１の実施形態の紙幣結束整理装置１００において、設定情報５２１及び登録特定記番号情報５２２の内容の登録を受け付ける具体的な処理（画面構成等）については限定されないものであり、種々のインタフェースを適用することができる。
【００７２】
（Ａ−２−２）計数及び結束処理
図１５は、紙幣結束整理装置１００において、計数及び結束処理が行われる場合の動作について示したフローチャートである。
【００７３】
操作部７の計数開始ボタン７ａがオペレータによって押下されると（Ｓ１０２）、制御部５０は、計数及び結束処理を開始し、まず、各部の初期設定を行う。具体的には、制御部５０は、登録特定記番号情報５２２の内容を、鑑別部２の鑑別用特定記番号情報２１１に設定する処理等を行う。また、検出記番号情報５２３には、初期状態において１件も情報が登録されていないものとする。
【００７４】
制御部５０は、初期設定を完了すると、投入口１にセットされた紙幣について、計数及び結束処理の動作を開始する（Ｓ１０４）。なお、紙幣結束整理装置１００が計数処理中に、オペレータにより、投入口１に紙幣が追加されることもあり得る。
【００７５】
また、制御部５０は、計数処理を開始する際に、図１６に示す形式で、計数中の状況を表示するための計数中表示画面を表示する。
【００７６】
計数中表示画面では、図１６に示すようにフィールドＦ２２に、テーブル形式で、一時集積部６１ごとに、現在集積中の金種（図１６の「施封」の項目）、現在集積している枚数（図１６の「端数枚数」の項目）、及び現在集積中の金種について結束（施封）した小束の数（図１６の「把束数」の項目）が表示される。なお、図１６の「施封」の項目の１〜５の番号は、集積部ＩＤとなっている。したがって、図１６の例では、施封の項目で「５：１００元紙幣」となっているため、一時集積部６１ｅ（一時集積部ＩＤ：５）に１００元紙幣が割り当てられていることを示している。また、図１６の例では、１００元紙幣について、現在５８枚集積されており（「端数枚数」の項目が「５８」）、既に１束の結束（施封）が行われた（「把束数」の項目が「１」）ことを示している。
【００７７】
また、計数中表示画面では、図１６に示すようにフィールドＦ２１に、テーブル形式で、オープンポケット５ａ、５ｂごとに、現在集積中の券種（図１６の「ポケット」の項目）、現在枚数（現在集積されている枚数）と設定枚数（各ポケットに集積する上限の枚数）が入力されている。なお、フィールドＦ２１の「ポケット」の項目において「１」は第１のオープンポケット５a、「２」は第２のオープンポケット５b、「ＲＪ」はリジェクトポケット８をあらわしている。本実施例では、第１のオープンポケット５aに券種が特定記番号の紙幣を集積するように設定している。また、第２のオープンポケット５bには、券種が「真偽ＲＪ」（真偽不明または偽券と判断した紙幣）のものを集積するように設定している。
【００７８】
そして、制御部５０は、鑑別部２から、紙幣ごとに金種及び券種の報告を受け、鑑別した紙幣の券種が特定記番号であるか否かを確認する（Ｓ２０５）。制御部５０は、鑑別した紙幣の券種が特定記番号である場合は後述するステップＳ２０６から動作し、そうでない場合には後述するステップＳ２０７から動作する。
【００７９】
上述のステップＳ２０５で、鑑別した紙幣の券種が特定記番号である場合は、制御部５０は、検出記番号情報５２３に当該特定記番号券の情報を登録し、特定記番号券が発生した旨をオペレータに通報する処理を行う（Ｓ２０６）。すなわち、第１の実施形態では、制御部５０及び操作表示部１３は、特定記番号券が検出された旨を通報する通報手段として機能している。
【００８０】
特定記番号券が発生した旨をオペレータに通報する処理の内容については限定されないものであるが、例えば、図１７に示すように、計数中表示画面のフィールドＦ２３に、「特定記番号発生」というメッセージとともに、最後に検出した特定記番号を表示するようにしてもよい。フィールドＦ２３の表示は、目立つように赤色等の文字にすることが望ましい。また、特定記番号券が発生した旨をオペレータに通報する方法としては、そのほかにも図示しないスピーカによる音声出力や、図示しない回転灯の点灯等により行うようにしてもよい。
【００８１】
そして、制御部２０５は、上述のステップＳ２０４で鑑別された紙幣について、対応する集積先に搬送するように制御を行う（Ｓ２０７）。なお、紙幣結束整理装置１００では、各一時集積部６１ａ〜６１ｅに集積された紙幣が設定枚数に達すると、その紙幣の束が紙幣結束機構１０により結束処理されるが、図１５のフローチャートでは、結束処理に係る動作については省略して図示している。
【００８２】
以上のように、紙幣結束整理装置１００では計測及び結束処理が行われる。そして、上述のステップＳ２０６の処理により、特定記番号券が発生した旨の通報を受けたオペレータが、詳細について確認したい場合には、上述の計数中表示画面で「記番」と表示されたボタンＢ４１を押下することにより、図１８に示すような記番号表示画面を表示する（その間計数及び結束処理は継続している）。
【００８３】
記番号表示画面では、例えば、図１８に示すように、検出記番号情報５２３の内容を表示するようにしてもよい。図１８では、検出記番号情報５２３のすべての項目及び「集積順」について表示をする例について示しているが、一部の項目（記番号以外の項目）については省略するようにしてもよい。図１８における「集積順」とは、集積先（オープンポケット）を上方向から見た場合に、当該紙幣が積載されている順序（位置）を示す情報である。図１８の例では、最も検出日時が新しい紙幣から順に、集積順を「上から１枚目」、「上から２枚目」、…、と表示している。なお、記番号表示画面に大量の記番号を表示する場合には、記番号の画面を切り替えたり、スクロール可能な操作画面としてもよい。また、記番号表示画面に、任意の記番号の検索を可能とする検索機能を追加するようにしてもよい。例えば、オペレータから任意の記番号の入力を受付け、当該記番号に該当する情報だけを抽出して記番号表示画面に表示可能な画面構成としてもよい。検出結果の表示画面としては、例えば、上述の図１８と同様に、「集積順」の情報もあわせて表示するようにしても良い。なお、各紙幣の集積順については、検出記番号情報５２３で管理するようにしても良い。
【００８４】
（Ａ−３）第１の実施形態の効果
第１の実施形態によれば、以下のような効果を奏することができる。
【００８５】
第１の実施形態の紙幣結束整理装置１００では、登録特定記番号情報５２２に特定記番号のリストを保持し、そのリストに基づいて、計数及び結束処理中に特定記番号券を検出している。そして、紙幣結束整理装置１００では、特定記番号券を検出した場合に、その旨のメッセージを計数中表示画面に表示して通報している。これにより、オペレータは特定記番号券を検出したタイミングを知ることができ、利便性が向上する。特に、投入口１に紙幣を継ぎ足しながら計数及び結束処理を行う場合（紙幣補給のために処理を止めない運用の場合）でも、特定記番号券が検出されるタイミングを、オペレータが認識することができるため有効である。
【００８６】
また、第１の実施形態の紙幣結束整理装置１００では、数中表示画面から、記番号表示画面をポップアップ表示することができる。例えば、記番号表示画面では、各記番号は検出順（集積順）に並んでいるため、オペレータにとって、どの記番号の紙幣が何枚目あたりに集積されているか等の位置を容易に把握することが可能となる。
【００８７】
（Ｂ）第２の実施形態
以下、本発明による紙葉類処理装置及びプログラムを、紙幣結束整理装置に適用した第２の実施形態を、図面を参照しながら説明する。
【００８８】
第２の実施形態の紙幣結束整理装置１００の、機能的構成（制御系の構成）及びハードウェア構成についても、第１の実施形態と同様に、上述図１〜図７を用いて説明することができる。以下、第２の実施形態について第１の実施形態との差異を説明する。
【００８９】
紙幣結束整理装置１００で処理する紙幣は、実際に流通してから回収した紙幣を用いることが多いため、さまざまな傷み（折れ、皺等）が発生しており、正確に集積先（一時集積部６１、オープンポケット５ａ、５ｂ）に搬送できない場合もあり得る。第１の実施形態では、計数及び結束処理において、特定記番号券が検出された場合、図１７に示すように、計数中表示画面のフィールドＦ２３に、「特定記番号券発生」というメッセージとともに、最後に検出した特定記番号を表示して通報している。しかし、オペレータがこのような通報を紙幣結束整理装置１００から受けた場合でも、設定通りの集積先（設定情報５２１で設定された集積先）に集積できなかった場合、オペレータはどこにその特定記番号券が滞留しているのかわからないということが発生するおそれがある。
【００９０】
そこで、第２の実施形態の紙幣結束整理装置１００では、上述の図１５に示すステップＳ２０７の処理で、設定通りの集積先（設定情報５２１で設定された集積先）に特定記番号券を集積できなかった場合には、図１９に示すように、実際に当該特定記番号紙幣が集積されている位置の情報も併せて通報（操作表示部１３に表示）する。なお、実際に当該特定記番号紙幣が集積されている位置については、例えば、集積機構６及び搬送路３に設置されるセンサ（紙幣の通過を検出するセンサ）の検知状況等に基づいて検出することができる。
【００９１】
これにより、第２の実施形態の紙幣結束整理装置１００では、設定通りの集積先に特定記番号券を集積できなかった場合でも、オペレータは実際の集積先を探す作業を行わなくてよくなるため、利便性が向上する。
【００９２】
（Ｃ）第３の実施形態
以下、本発明による紙葉類処理装置及びプログラムを、紙幣結束整理装置に適用した第３の実施形態を、図面を参照しながら説明する。
【００９３】
第３の実施形態の紙幣結束整理装置１００の、機能的構成（制御系の構成）及びハードウェア構成についても、第１の実施形態と同様に、上述図１〜図７等を用いて説明することができる。以下、第３の実施形態について第１の実施形態との差異を説明する。
【００９４】
実際の特定記番号の紙幣は、記番号によって、偽券であったり、盗難された紙幣であったりと不正の理由（特定される理由）が異なる場合がある。すなわち、実際の特定記番号の紙幣については、記番号によって取扱いが異なる場合がある。第１の実施形態の登録特定記番号情報５２２において、登録できる特定記番号のリスト（特定記番号リスト）は１つの金種に対して１つであり、その１つの特定記番号リストに該当する記番号の紙幣について、設定情報５２１で定められた１つの集積先に集積している。これに対して、第３の実施形態では、登録特定記番号情報５２２において、１つの金種に対して複数の特定記番号リストを登録することができ、特定記番号リストごとに異なる集積先に集積することが可能な構成となっているものとする。具体的な実現方法については限定されないものであるが、以下にその一例について第３の実施形態として説明する。
【００９５】
第３の実施形態の登録特定記番号情報５２２では、図２０に示すように、第１の特定記番号リスト５２２ａと第２の特定記番号リスト５２２ｂの２つの特定記番号リストが登録されている。そして、紙幣結束整理装置１００では、それぞれの特定記番号リストについて別個の内容を登録することが可能となっている。なお、第３の実施形態では、特定記番号リストは２つであるものとして説明するが３つ以上とするようにしてもよい。その場合、特定記番号リストの数だけ必要となる以下のボタンやパラメータ等の数も変更する必要がある。
【００９６】
また、第３の実施形態の設定情報５２１では、図２１に示すように、券種として、第１の特定記番号リスト５２２ａに対応する券種「特定記番号１」と、第２の特定記番号リスト５２２ｂに対応する「特定記番号２」とが設定可能となっているものとする。このように、第３の実施形態の設定情報５２１では、特定記番号リストごとに対応する券種を設定可能とする必要がある。
【００９７】
さらに、第３の実施形態では、特定記番号に関連する券種として「特定記番号１」と「特定記番号２」を選択可能とするために、上述のステップＳ１０４で表示する券種選択画面について、例えば、図２２のように構成する必要がある。図２２では、「特定記番号１」（第１の特定記番号リスト５２２ａ）に対応する券種選択用のボタンＢ２０９と、「特定記番号２」（第２の特定記番号リスト５２２ｂ）に対応する券種選択用のボタンＢ２１０とが配置されている。図２２に示す券種選択画面で、ボタンＢ２０９が押下されると、制御部５０は、当該集積先の券種として「特定記番号１」を選択するとともに、第１の特定記番号リスト５２２ａの内容を編集するための画面（特定記番号入力画面）を表示して、特定記番号の入力を受付けることになる。また、図２２に示す券種選択画面で、ボタンＢ２１０が押下されると、制御部５０は、同様に、当該集積先の券種として「特定記番号２」を選択するとともに、第２の特定記番号リスト５２２ｂの入力を受付けることになる。
【００９８】
さらにまた、第３の実施形態では、上述の図１５のフローチャートで表示する計数中表示画面において、図２３に示すように、「特定記番号１」（第１の特定記番号リスト５２２ａ）に対応するボタンＢ４２（「記番１」と表示されたボタン）と、「特定記番号２」（第２の特定記番号リスト５２２ｂ）に対応するボタンＢ４３（「記番２」と表示されたボタン）とが配置されている。図２３に示す計数中表示画面において、「記番１」と表示されたボタンＢ４２が押下されると、制御部５０は、検出記番号情報５２３から、第１の特定記番号リスト５２２ａに登録された記番号の履歴を抜き出して表示する記番号一覧表示画面（上述の図１８と同様の形式）を表示することになる。また、図２３に示す計数中表示画面において、「記番２」と表示されたボタンＢ４３が押下されると、制御部５０は、検出記番号情報５２３から、第２の特定記番号リスト５２２ｂに登録された記番号の履歴を抜き出して表示する記番号一覧表示画面（上述の図１８と同様の形式）を表示することになる。
【００９９】
以上のように、第３の実施形態では、特定記番号リストごとに異なる集積先に集積することが可能な構成となっているため、例えば、特定記番号券についてカテゴリー分けして集積させることができるため、利便性を向上させることができる。
【０１００】
（Ｄ）他の実施形態
本発明は、上記の各実施形態に限定されるものではなく、以下に例示するような変形実施形態も挙げることができる。
【０１０１】
（Ｄ−１）上記の実施形態では紙幣結束整理装置に本発明を適用したものを示したが、本発明の適用装置は、紙幣結束整理装置に限定されない。要は、投入紙幣の鑑別を行い、鑑別の結果によっては、適宜、本来の搬送路から分離して排出口に排出させる装置であれば、本発明を適用することができる。このような条件を満たすならば、自動取引装置（ＡＴＭ）等の現金処理装置にも、本発明の技術思想を適用することができる。
【０１０２】
また、上記の実施形態では、紙幣を扱う紙幣結束整理装置に本発明を適用したものを示したが、本発明が適用し得る紙葉類は、紙幣に限らず、小切手、商品券などの他の紙葉類であっても良い。
【０１０３】
（Ｄ−２）上記の各実施形態の各操作画面は、紙幣結束整理装置１００本体の操作表示部１３に表示してオペレータの操作を受付けるものとして説明したが、外部装置（例えば、端末）を用いてオペレータとのインタフェース手段を実現するようにしてもよい。例えば、紙幣結束整理装置１００に、Ｗｅｂサーバ機能を搭載し、ＨＴＴＰ通信等により、端末に操作画面のＷｅｂページを提供するようにしてもよい。その際、登録特定記番号情報については、紙幣結束整理装置（制御部）は、端末からにデータファイル（例えば、特定記番号をリスト化したテキストデータ）のアップロードを受け付けて、登録特定記番号情報５２２に反映するようにしてもよい。
【０１０４】
（Ｄ−３）上記の各実施形態では、紙幣結束整理装置は計数及び結束処理中に特定記番号券を検出しても、処理を継続するものとして説明したが、一時停止して、オペレータの操作により処理を再開する構成としてもよい。例えば、特定記番号券を任意の設定枚数（例えば、３枚）検出した場合、紙幣結束整理装置を自動で一時停止して、オペレータの操作により処理を再開する。この場合、例えば、上述の図１７の画面（計数表示中画面）のフィールドＦ２３に、特定記番号券を検出したために処理を停止した旨を表示をして、動作を処理を停止するようにしても良い（図２４参照）。
【０１０５】
（Ｄ−４）第１の実施形態では、特定記番号券が発生した場合に、その旨の通報（メッセージ表示）を行うと共に、紙幣結束整理装置が計数及び結束処理中に数中表示画面から、記番号表示画面をポップアップ表示することができる構成となっているが、記番号表示画面を表示する構成、又は、特定記番号券を検出した旨を通報する構成のいずれか一方を省略するようにしてもよい。
【符号の説明】
【０１０６】
１００…紙幣結束整理装置、１…投入口、２…鑑別部、３…搬送路、４…表裏反転部、５…オープンポケット、６、６１ａ〜６１ｅ…集積機構、７…操作部、９…移送機構、１０…紙幣結束機構、１１…放出口、１２…扉、１３…操作表示部、５１…Ｉ／Ｏインタフェース回路、５１ａ〜５１ｅ… カウンタ、５０…制御部、５２…記憶部、５２１…設定情報、５２２…登録特定記番号情報、５２３…検出記番号情報。
【図１】
2013218420.tif 000003
【図２】
2013218420.tif 000004
【図３】
2013218420.tif 000005
【図４】
2013218420.tif 000006
【図５】
2013218420.tif 000007
【図６】
2013218420.tif 000008
【図７】
2013218420.tif 000009
【図８】
2013218420.tif 000010
【図９】
2013218420.tif 000011
【図１０】
2013218420.tif 000012
【図１１】
2013218420.tif 000013
【図１２】
2013218420.tif 000014
【図１３】
2013218420.tif 000015
【図１４】
2013218420.tif 000016
【図１５】
2013218420.tif 000017
【図１６】
2013218420.tif 000018
【図１７】
2013218420.tif 000019
【図１８】
2013218420.tif 000020
【図１９】
2013218420.tif 000021
【図２０】
2013218420.tif 000022
【図２１】
2013218420.tif 000023
【図２２】
2013218420.tif 000024
【図２３】
2013218420.tif 000025
【図２４】
2013218420.tif 000026